(57)【要約】【課題】携帯端末等に取り付けられた距離センサの動作を確実なものとすることができるモバイル機器、その制御方法およびプログラムを提供する。【解決手段】距離センサ１１が、ユーザの手などによる非接触操作イベントの発生を検出すると（ステップＳ１５）、筐体移動判定タイマーが開始される（ステップＳ１６）。次に、非接触操作判定処理部１４が筐体移動判定タイマーがタイムアウトしたかどうか判断し（ステップＳ１７）、タイマー動作中に、一定以上の加速度が検出されるか判断する（ステップＳ１８）。タイマー動作中に一定以上の加速度が検出された場合、非接触操作判定処理部１４は、非接触操作イベントを破棄し（ステップＳ１９）、ユーザが筐体操作を行う（ステップＳ２０）。一方、ステップＳ１７において、筐体移動判定タイマーがタイムアウトした場合、非接触操作判定処理部１４は、非接触操作イベントを確定し（ステップＳ２１）、ハンズフリーなどの非接触操作を実行するよう機能処理部１９に命令する（ステップＳ２２）。【選択図】図２
2011244396.tif 000002
【特許請求の範囲】
【請求項１】
物体が設定された距離範囲内にあることを検出する距離センサと、
加速度を検出する加速度センサと、
前記距離センサが、物体が設定された距離範囲内にあることを検出してから所定時間以内に、前記加速度センサが検出する加速度が実質的に零のときに、所定の処理を実行する機能処理部と、
を備えるモバイル機器。
【請求項２】
請求項１に記載のモバイル機器であって、
前記機能処理部は、前記距離センサの検出開始時に物体が設定された距離範囲内にあることを検出した場合は、所定の処理を実行しない、モバイル機器。
【請求項３】
請求項１に記載のモバイル機器であって、
前記機能処理部は、電話機能／メール機能処理部を含み、
前記電話機能／メール機能処理部は、着信動作中に前記距離センサが物体を検出した場合に、ハンズフリー状態での通話状態に遷移するモバイル機器。
【請求項４】
請求項１に記載のモバイル機器であって、
前記機能処理部は、電話機能／メール機能処理部を含み、
前記電話機能／メール機能処理部は、新着メールがある旨の通知中に前記距離センサが物体を検出した場合に、前記新着メールの音声読み上げを行うモバイル機器。
【請求項５】
請求項１に記載のモバイル機器であって、
前記機能処理部は、電話機能／メール機能処理部を含み、
前記電話機能／メール機能処理部は、留守番電話の記録がある旨の通知中に前記距離センサが物体を検出した場合に、前記留守番電話の音声読み上げを行うモバイル機器。
【請求項６】
請求項１に記載のモバイル機器であって、
前記機能処理部は、電話機能／メール機能処理部を含み、
前記電話機能／メール機能処理部は、不在着信があった旨の通知中に前記距離センサが物体を検出した場合に、前記不在着信があった電話番号に対して、ハンズフリー状態にて発信を行うモバイル機器。
【請求項７】
請求項１に記載のモバイル機器であって、
前記機能処理部は、目覚ましアラーム処理部を含み、
前記目覚ましアラーム処理部は、目覚ましアラーム鳴動中に前記距離センサが物体を検出した場合に、前記目覚ましアラームのアラーム鳴動動作を停止するモバイル機器。
【請求項８】
請求項１に記載のモバイル機器であって、
前記機能処理部は、カメラ処理部を含み、
前記カメラ処理部は、撮影動作中に前記距離センサが物体を検出した場合に、少なくとも１回カメラのシャッターを切り、前記距離センサが検出した物体を撮影するモバイル機器。
【請求項９】
請求項１に記載のモバイル機器であって、
前記距離センサは、ユーザの手または遮蔽物までの距離を検出し、
前記加速度センサは、モバイル機器の加速度を検出するモバイル機器。
【請求項１０】
距離センサにより、物体が設定された距離範囲内にあることを検出するステップと、
加速度センサにより、加速度を検出するステップと、
前記距離センサが、物体が設定された距離範囲内にあることを検出してから所定時間以内に、前記加速度センサが検出する加速度が実質的に零のときに、所定の処理を実行するステップと、
を有するモバイル機器の制御方法。
【請求項１１】
コンピュータに、請求項１０記載の各ステップを実行させるためのモバイル機器の制御プログラム。
【発明の詳細な説明】
【技術分野】
【０００１】
本発明は、モバイル機器、その制御方法およびプログラムに関し、特に、距離センサをスイッチとして利用する時に誤動作を防止することが可能なモバイル機器に関する。
【背景技術】
【０００２】
近年、例えばパーソナルコンピュータ、ＰＤＡ（Personal Digital Assistant）、携帯情報端末、テレビ、電子レンジなどの機器の操作や設定といった入力作業を簡便にするため、また、汚れた手でこれらの機器への入力作業をおこなうことにより入力装置や機器に汚れが付着するのを防ぐためなどの目的で、接触型の入力装置であるボタンスイッチ、キーボード、マウス、タッチパネルなどを利用しなくても機器に非接触で入力できる非接触入力インターフェース装置が考えられている。
【０００３】
例えば、魔法瓶の湯量の調整などに利用する事を想定して、距離センサを利用する事により、手の不自由なユーザにも機器に対しアナログ値、デジタル値の入力を可能とする非接触型操作入力装置を提供するために、距離センサを有する機器に対し、手などをかざし、機器からの距離によりアナログ値、デジタル値の入力を可能とする技術が知られている（例えば、特許文献１参照）。
【０００４】
また、複数の距離センサを有し、距離センサの一定距離内に物体があるか否かでＯＮ／ＯＦＦを判定し、各センサのＯＮ／ＯＦＦの状態変化をジェスチャーと捉え、ジェスチャーに紐付けられた操作を実行することを可能とする非接触型操作入力装置が知られている（例えば、特許文献２参照）。
【先行技術文献】
【特許文献】
【０００５】
【特許文献１】特開２００１−１２６５９７号公報
【特許文献２】特開２００５−１４１５４２号公報
【発明の概要】
【発明が解決しようとする課題】
【０００６】
しかしながら、携帯電話機等のモバイル機器で利用する場合には、下記のような課題を有する。すなわち、距離センサ等の非接触入力インターフェースが非接触入力イベントを検出した場合に、利用者が距離センサに対して手などをかざし距離センサに対する操作を行うことを意図したのか、利用者が携帯電話の筐体を掴み携帯電話自体を操作もしくは持ち運ぼうとしているのかを区別することが難しい。特に、筐体の小さな携帯電話機のような小型のモバイル機器の場合に、この問題は顕著である。
【０００７】
例えば、携帯端末のような小さいものの場合、ユーザが手を伸ばして端末に手をかざした瞬間にセンサが手を検出することとなり、センサ感知による自動操作（ハンズフリー通話など）なのか、そのまま端末を掴んで操作しようとしているのか、判断しがたく、誤動作をすることが考えられる。すなわち、着信時、ユーザが携帯端末を手で掴んで普通に通話しようとしたにも関わらず、センサがその前に手を検知し、ハンズフリー機能が動作してしまう、といった問題がある。
【０００８】
本発明は、上記従来の事情に鑑みてなされたものであって、携帯端末等に取り付けられた距離センサの動作を確実なものとすることができるモバイル機器、その制御方法およびプログラムを提供することを目的としている。
【課題を解決するための手段】
【０００９】
本発明のモバイル機器は、物体が設定された距離範囲内にあることを検出する距離センサと、加速度を検出する加速度センサと、前記距離センサが、物体が設定された距離範囲内にあることを検出してから所定時間以内に、前記加速度センサが検出する加速度が実質的に零のときに、所定の処理を実行する機能処理部と、を備える。
【００１０】
これによれば、距離センサがユーザの手などの物体を検出した際に、加速度センサによりモバイル機器を利用者が掴み動かしたか否かも同時に判断する事により、着信時、ユーザがモバイル機器を手で掴んで普通に会話しようとしたにも関わらず、ハンズフリー機能が動作してしまうといった不都合を防止することができる。
【００１１】
また、本発明のモバイル機器において、前記機能処理部は、前記距離センサの検出開始時に物体が設定された距離範囲内にあることを検出した場合は、所定の処理を実行しない。
【００１２】
これによれば、距離センサが検出開始時に一定距離内に遮蔽物があることを検出した場合に、非接触操作の処理を実行しないことにより、モバイル機器の誤動作を防止することができる。
【００１３】
また、本発明のモバイル機器において、前記機能処理部は、電話機能／メール機能処理部を含み、前記電話機能／メール機能処理部は、着信動作中に前記距離センサが物体を検出した場合に、ハンズフリー状態での通話状態に遷移する。
【００１４】
これによれば、距離センサがユーザの手などの物体を検出することにより、ハンズフリー状態での通話状態へ遷移するための入力作業を簡便にすることができる。
【００１５】
また、本発明のモバイル機器において、前記機能処理部は、電話機能／メール機能処理部を含み、前記電話機能／メール機能処理部は、新着メールがある旨の通知中に前記距離センサが物体を検出した場合に、前記新着メールの音声読み上げを行う。
【００１６】
これによれば、距離センサがユーザの手などの物体を検出することにより、新着メールの音声読み上げを行うための入力作業を簡便にすることができる。
【００１７】
また、本発明のモバイル機器において、前記機能処理部は、電話機能／メール機能処理部を含み、前記電話機能／メール機能処理部は、留守番電話の記録がある旨の通知中に前記距離センサが物体を検出した場合に、前記留守番電話の音声読み上げを行う。
【００１８】
これによれば、距離センサがユーザの手などの物体を検出することにより、留守番電話の音声読み上げを行うための入力作業を簡便にすることができる。
【００１９】
また、本発明のモバイル機器において、前記機能処理部は、電話機能／メール機能処理部を含み、前記電話機能／メール機能処理部は、不在着信があった旨の通知中に前記距離センサが物体を検出した場合に、前記不在着信があった電話番号に対して、ハンズフリー状態にて発信を行う。
【００２０】
これによれば、距離センサがユーザの手などの物体を検出することにより、不在着信があった電話番号に対してハンズフリー状態にて発信を行うための入力作業を簡便にすることができる。
【００２１】
また、本発明のモバイル機器において、前記機能処理部は、目覚ましアラーム処理部を含み、前記目覚ましアラーム処理部は、目覚ましアラーム鳴動中に前記距離センサが物体を検出した場合に、前記目覚ましアラームのアラーム鳴動動作を停止する。
【００２２】
これによれば、距離センサがユーザの手などの物体を検出することにより、目覚ましアラームのアラーム鳴動動作を停止するための入力作業を簡便にすることができる。
【００２３】
また、本発明のモバイル機器において、前記機能処理部は、カメラ処理部を含み、前記カメラ処理部は、撮影動作中に、前記距離センサが物体を検出した場合に、少なくとも１回カメラのシャッターを切り、前記距離センサが検出した物体を撮影する。
【００２４】
これによれば、距離センサがユーザの手などの物体を検出することにより、撮影作業を簡便にすることができる。
【００２５】
また、本発明のモバイル機器において、前記距離センサは、ユーザの手または遮蔽物までの距離を検出し、前記加速度センサは、モバイル機器の加速度を検出する。
【００２６】
これによれば、加速度センサを用いて距離センサへの操作か、モバイル機器への操作かを判別し、また遮蔽物を検出することにより誤動作を防止することができる。
【００２７】
また、本発明のモバイル機器の制御方法は、距離センサにより、物体が設定された距離範囲内にあることを検出するステップと、加速度センサにより、加速度を検出するステップと、前記距離センサが、物体が設定された距離範囲内にあることを検出してから所定時間以内に、前記加速度センサが検出する加速度が実質的に零のときに、所定の処理を実行するステップとを有する。また、コンピュータにこのようなステップを実行させるためのモバイル機器の制御プログラムも本発明に含まれる。
【００２８】
これによれば、距離センサによるユーザの手などの物体検知後に、加速度センサによりモバイル機器の筐体の動きを判定し、動きがないとき、すなわち加速度が実質的にゼロのとき、初めて処理を実行することにより、誤動作を防止することができる。
【発明の効果】
【００２９】
以上説明したように、本発明にかかるモバイル機器、その制御方法およびプログラムによれば、距離センサをスイッチとして利用する場合に、加速度センサを用いて距離センサへの操作か、モバイル機器への操作かを判別し、誤動作を防止することができる。
【図面の簡単な説明】
【００３０】
【図１】本発明の実施形態にかかる携帯電話機の概略構成を説明するためのブロック図
【図２】本発明の実施形態にかかるモバイル機器の動作を説明するためのフローチャート
【図３】本発明の実施形態にかかる携帯電話機において複数の機能動作が連続する場合の例を示す図
【発明を実施するための形態】
【００３１】
本発明の実施形態にかかるモバイル機器は、距離センサにて手などの物体を検出する際に、その時のモバイル機器の移動状態を検出する事により、検出した操作が、距離センサに対する非接触操作なのか、モバイル機器自体への操作なのかを判別する。ここで、モバイル機器の移動状態は、加速度センサにおける一定量以上の加速度を検出することにより行う。
【００３２】
これによれば、距離センサの物体検出が、距離センサに対する操作か、筐体に対する操作かを判別する事により、筐体への操作を行った際に距離センサに対する操作が実行されてしまうという誤操作を防止する事ができる。
【００３３】
また、前記誤動作を防止することで、筐体への操作が行われず距離センサによる操作が実行されたことを正確に判別し、筐体への操作を行うことなく、距離センサへの操作により、種々の操作を行うことができる。
【００３４】
図１は、本発明の実施形態にかかる携帯電話機の概略構成を説明するためのブロック図である。距離センサ１１は、赤外線距離センサ、超音波センサ等によりユーザの手または遮蔽物までの距離を検出する。
【００３５】
加速度センサ１２は、筐体の移動を検出するセンサであり、一定量以上の加速度を検出することにより、利用者が携帯電話機の筐体を掴み携帯電話機自体を操作もしくは持ち運ぼうとしているのかを検出する。
【００３６】
タイマー１３は、筐体の移動を判定するためのタイマーであり、距離センサ１１が非接触操作イベントの発生を検出した場合に動作する。非接触操作判定処理部１４は、非接触操作を処理するとともに、距離センサ１１による検出開始時に既に一定距離内に物体を検出した場合に、距離センサ１１が塞がれている、もしくは近くに遮蔽物がある状態と判定する。
【００３７】
キー１５は、電源／終了ボタン、開始ボタン、ダイヤルボタン、メールボタン等を含み、携帯電話機の操作部を構成する。接触操作判定処理部１６は、キー１５による操作を処理するとともに、加速度センサ１２により筐体が一定以上移動したことを検出した場合に、ユーザが筐体を持つ動作を行った状態と判定する。
【００３８】
アンテナ部１７は、携帯電話機用電波を送受信する。通信モジュール（無線部）１８は、携帯電話機用電波から通信信号を復調し、通信信号を携帯電話機用電波に変調する。機能処理部１９は、電話機能／メール機能処理部２０、カメラ処理部２１、画面表示処理部２２および目覚ましアラーム処理部２３を含む。
【００３９】
電話機能／メール機能処理部２０は、例えば、電話の着信動作中に、距離センサ１１がユーザの手を検出した場合に、ハンズフリー状態での通話状態に遷移させ、新着メールがある旨の通知中に、距離センサ１１がユーザの手を検出した場合に、新着メールの音声読み上げを行う等の機能を処理する。
【００４０】
カメラ処理部２１は、カメラ２４に接続され、撮影動作中に、距離センサ１１がユーザの手を検出した場合に、１回〜複数回カメラ２４のシャッターを切る等の機能を処理する。画面表示処理部２２は、液晶表示装置（ＬＣＤ：正面ＬＣＤ／背面ＬＣＤ）２５および発光ダイオード（ＬＥＤ：状態通知用ＬＥＤ）２６に接続され、例えば、新着メールを受信完了した後、ユーザに対し背面ＬＣＤなどを用いて、一定周期で「新着メールあり通知」の表示を行い、新着メールがある旨の通知を行う。「新着メールあり通知」の表示は、一定時間の間（例：２秒間）表示される。「新着メールあり通知」の表示中に距離センサ１１がユーザの手を検出し、非接触操作イベントが確定した場合、携帯電話機内に保存されている新着メールの音声読み上げを行う。
【００４１】
目覚ましアラーム処理部２３は、時計部を構成するＲＴＣ（リアルタイムクロックモジュール）２７に接続され、ＲＴＣ２７から現在日時を取得する。また、目覚ましアラームの鳴動を制御し、目覚ましアラーム鳴動中に、距離センサ１１がユーザの手を検出した場合に、目覚ましアラームのアラーム鳴動動作を停止する。
【００４２】
マイク２８、スピーカ２９およびレシーバ３０は、機能処理部１９に接続され、音声入出力およびアラーム出力を行う。なお、距離センサ１１、加速度センサ１２、タイマー１３、キー１５、アンテナ部１７、通信モジュール１８、カメラ２４、ＬＣＤ２５、ＬＥＤ２６、ＲＴＣ２７、マイク２８、スピーカ２９およびレシーバ３０はハードウェアブロックであり、非接触操作判定処理部１４、接触操作判定処理部１６、電話機能／メール機能処理部２０、カメラ処理部２１、画面表示処理部２２および目覚ましアラーム処理部２３は、ソフトウェア処理ブロックである。
【００４３】
図２は、本発明の実施形態にかかるモバイル機器の動作を説明するためのフローチャートである。着信、メール受信などのイベント発生時にセンサの検出が開始される（ステップＳ１１）。このセンサには、例えば筐体移動検出センサ等の加速度センサ１２、赤外線距離センサ、超音波センサ等の距離センサ１１が含まれる。
【００４４】
次に、距離センサ１１は、一定距離内に物体があるかどうかを判断する（ステップＳ１２）。この場合、センサによる検出開始時に既に一定距離内に物体を検出した場合、センサが塞がれている、もしくは近くに遮蔽物がある状態とみなす。これは、モバイル機器が、センサを下向きにしてテーブルに置かれている場合などである。
【００４５】
距離センサ１１が検出開始時に一定距離内に物体があることを検出した場合は、遮蔽物がある状態とみなす（ステップＳ１３）。一方、距離センサが検出開始時に一定距離内に物体を検出しない場合は、距離センサが正常に動作している場合である。
【００４６】
次に、距離センサ１１は、有効距離内に物体があるかどうか判断する（ステップＳ１４）。そして、距離センサ１１が、ユーザの手などによる非接触操作イベントの発生を検出すると（ステップＳ１５）、タイマー１３が筐体移動判定タイマーとして時間測定を開始する（ステップＳ１６）。
【００４７】
次に非接触操作判定処理部１４は、筐体移動判定タイマーがタイムアウトしたかどうか判断し（ステップＳ１７）、タイマーがタイムアウトしていない場合すなわちタイマー動作中に、加速度センサ１２により一定以上の加速度が検出されるか判断する（ステップＳ１８）。そして、タイマー動作中に一定以上の加速度が検出されない場合、すなわち加速度センサ１２により検出した加速度が実質的にゼロの場合は、ステップ非接触操作判定処理部１４は再びステップＳ１７の動作に戻る。タイマー１３によるタイマー動作は継続されている。
【００４８】
一方、タイマー動作中に一定以上の加速度が加速度センサ１２により検出された場合、すなわち筐体が所定時間内に一定以上の距離を移動したことが検出された場合に、非接触操作判定処理部１４はユーザが筐体を持つ動作を行った状態とみなす。そして、非接触操作判定処理部１４は、距離センサ１１による非接触操作イベントを破棄し（ステップＳ１９）、距離センサ１１が反応したことによるフラグすなわち距離センサ１１に基づく操作を破棄する。
【００４９】
そしてユーザは筐体操作を行う（ステップＳ２０）。すなわち、従来のキー操作や、筐体操作、例えばフリップ開閉や、ユーザが筐体を握って移動する等が実施される。
【００５０】
一方、ステップＳ１７において、筐体移動判定タイマーがタイムアウトした場合、非接触操作判定処理部１４は、距離センサ１１による非接触操作イベントを確定する（ステップＳ２１）。そして、非接触操作判定処理部１４はハンズフリーなどの非接触操作を実行するよう、機能処理部１９に命令する（ステップＳ２２）。
【００５１】
次に、各センサと操作との関係を表１に示す。
【００５２】
【表１】
2011244396.tif 000003
【００５３】
表１に示すように、距離センサが物体を検出しない場合は、非接触操作イベントの検出は行われない（無操作）。また、距離センサが物体を検出した場合で、検出開始時に既に一定距離内に物体を検出した場合は、遮蔽物が存在する場合であり、非接触操作イベントの検出は行われない（無操作）。
【００５４】
一方、物体の未検出状態から新たに距離センサにより物体を検出した場合は、加速度センサにより筐体の状態が検出される。すなわち、加速度センサが一定以上の加速度を検出しない場合は、筐体は静止しており、距離センサに対する非接触操作が受付けられる。また、加速度センサが一定以上の加速度を検出した場合は、ユーザが筐体に対する操作を実行しており、筐体への操作を受付け、非接触操作イベントを破棄して誤動作を防止する。
【００５５】
次に、実際の利用シーンについて説明する。
【００５６】
（１）着信のハンズフリー応答
着信動作中に距離センサ１１が物体を検出し、非接触操作イベントが確定した場合、非接触操作判定処理部１４は機能処理部１９に非接触操作を実行するよう命令し、当該命令を受けて機能処理部１９の電話機能／メール機能処理部２０はハンズフリー状態での通話状態への遷移動作を実行する。これによりハンズフリー状態での通話操作を簡便にすることができる。
【００５７】
（２）新着メールの音声読み上げ
アンテナ部１７、通信モジュール１８を介して電話機能／メール機能処理部２０が新着メールを受信完了した後、画面表示処理部２２の命令により、ユーザに対しＬＣＤ２５の背面液晶などが、一定周期で「新着メールあり通知」の表示を行い、新着メールがある旨の通知を行う。「新着メールあり通知」の表示は、一定時間の間（例：２秒間）表示される。「新着メールあり通知」の表示中に距離センサ１１が物体を検出し、非接触操作イベントが確定した場合、電話機能／メール機能処理部２０は端末内に保存されている新着メールの音声読み上げを行う。これにより新着メールの音声読み上げの操作を簡便にすることができる。
【００５８】
（３）留守番電話の音声読み上げ
アンテナ部１７、通信モジュール１８を介して電話機能／メール機能処理部２０が新たな留守番電話の記録を受信完了した後、画面表示処理部２２の命令により、ユーザに対しＬＣＤ２５の背面液晶などが、一定周期で「留守番電話あり通知」の表示を行い、留守番電話の記録がある旨の通知を行う。「留守番電話あり通知」の表示は、一定時間の間（例：２秒間）表示される。「留守番電話あり通知」の表示中に距離センサ１１が物体を検出し、非接触操作イベントが確定した場合、電話機能／メール機能処理部２０は端末内に保存されている留守番電話の音声読み上げを行う。これにより留守番電話の音声読み上げの操作を簡便にすることができる。
【００５９】
（４）最新の着信履歴へのハンズフリー発信
着信に対し出られなかった時（不在着信）、画面表示処理部２２の命令により、ユーザに対しＬＣＤ２５の背面液晶などが、一定周期で「不在着信あり通知」の表示を行い、不在着信があった旨の通知を行う。「不在着信あり通知」の表示は、一定時間の間（例：２秒間）表示される。「不在着信あり通知」の表示中に距離センサ１１が物体を検出し、非接触操作イベントが確定した場合、電話機能／メール機能処理部２０は不在着信があった電話番号に対して、ハンズフリー状態にて発信を行う。これにより不在着信があった電話番号に対するハンズフリー状態での発信を簡便にすることができる。
【００６０】
（５）目覚ましアラームの停止
ＲＴＣ２７による目覚ましアラームが設定された時刻に従い、目覚ましアラーム処理部２３はアラーム鳴動の動作を開始する。アラーム鳴動中に距離センサ１１が物体を検出し、非接触操作イベントが確定した場合、目覚ましアラーム処理部２３は目覚ましアラームのアラーム鳴動動作を停止する。これによりアラーム鳴動停止を簡便にすることができる。
【００６１】
（６）カメラ（被写体検出モード）における撮影
カメラ（被写体検出モード）２４の動作を開始する。ユーザがカメラ２４のシャッターキーを押下し、撮影動作を開始する。撮影動作中に距離センサ１１が物体を検出し、非接触操作イベントが確定した場合、カメラ処理部２１は１回〜複数回（少なくとも１回）カメラ２４のシャッターを切り、距離センサ１１が検出した物体を撮影する。これにより撮影操作を簡便にすることができる。
【００６２】
なお、上記（２）〜（４）に関しては、背面液晶への表示に限らず、それぞれの状態を意味するＬＥＤ点灯や、メイン液晶への表示でも同様の機能を提供することができる。また、複数の機能を同時に動作させることも可能である。
【００６３】
図３は、本発明の実施形態にかかる携帯電話機において、上記（２）および（３）の動作が連続する場合の例を示す。図３（ａ）に示すように、メールを受信した場合に背面液晶にメール着信を２秒間表示するとともに距離センサを有効にする。その間に手などの物体を検出すると、着信メールの音声読み上げを行う。次に、着信メールの音声読み上げが終了すると、図３（ｂ）に示すように、背面液晶を無表示にするとともに距離センサを無効にする。
【００６４】
次に、留守番電話を受信すると、図３（ｃ）に示すように、背面液晶に留守番電話があった旨を２秒間表示するとともに距離センサを有効にする。その間に手などの物体を検出すると、留守番電話の音声読み上げを行う。次に、留守番電話の音声読み上げが終了すると、図３（ｄ）に示すように、背面液晶を無表示にするとともに距離センサを無効にする。そして、図３（ａ）の状態に戻る。
【００６５】
このように本実施形態のモバイル機器によれば、距離センサをスイッチとして利用する場合に、加速度センサを用いて距離センサへの操作か、モバイル機器への操作かを判別し、誤動作を防止することができる。
【００６６】
なお、本発明は、本発明の趣旨ならびに範囲を逸脱することなく、明細書の記載、並びに周知の技術に基づいて、当業者が様々な変更、応用することも本発明の予定するところであり、保護を求める範囲に含まれる。また、発明の趣旨を逸脱しない範囲で、上記実施形態における各構成要素を任意に組み合わせてもよい。
【産業上の利用可能性】
【００６７】
本発明は、携帯端末等に取り付けられた距離センサの動作を確実なものとすることができるモバイル機器、その制御方法およびプログラムとして利用可能である。
【符号の説明】
【００６８】
１１  距離センサ
１２  加速度センサ
１３  タイマー
１４  非接触操作判定処理部
１５  キー
１６  接触操作判定処理部
１７  アンテナ部
１８  通信モジュール
１９  機能処理部
２０  電話機能／メール機能処理部
２１  カメラ処理部
２２  画面表示処理部
２３  目覚ましアラーム処理部
２４  カメラ
２５  ＬＣＤ
２６  ＬＥＤ
２７  ＲＴＣ
２８  マイク
２９  スピーカ
３０  レシーバ
【図１】
2011244396.tif 000004
【図２】
2011244396.tif 000005
【図３】
2011244396.tif 000006